(57)【特許請求の範囲】
【請求項１】
横編機に使用する編成データを、編成すべき編地のデザインを編目毎に表す編目画像の表示とユーザからの入力とに応じて生成し、
編目画像中でユーザにより指定された指定エリアは、予め定める対応関係に基づき、コース方向にスライドさせて単純な形状の対象エリアに変形してデザインの対象とすることが可能なニットデザイン方法において、
ユーザからの指定を受け、編目画像中で、柄を表示する範囲を含むエリアを、指定エリアとして設定して、指定エリアを除く編目画像中で、指定エリアが接続されるエリアとなる基底エリアと区分し、
指定エリアと基底エリアとの間での編目構成の違いに基づき、違いによって生じる歪みを減少させる増し編みを、対象エリアに付加し、
増し編みが付加された対象エリアに対し、柄のデザインを行い、
柄のデザインが行われた対象エリアに対し、前記対応関係に基づく変形を戻して、基底エリアに接続させ、
柄のデザインが行われた対象エリアの変形が戻されて基底エリアに接続された状態の編地に対して、前記編成データを生成する、
ことを特徴とするニットデザイン方法。
【請求項２】
横編機に使用する編成データを、編成すべき編地のデザインを編目毎に表す編目画像の表示とユーザからの入力とに応じて生成するデータ生成手段を備え、
編目画像中でユーザにより指定された指定エリアは、予め定める対応関係に基づき、コース方向にスライドさせて単純な形状の対象エリアに変形してデザインの対象とすることが可能なニットデザイン装置において、
ユーザからの指定を受け、編目画像中で、柄を表示する範囲を含むエリアを、指定エリアとして設定して、指定エリアを除く編目画像中で、指定エリアが接続されるエリアとなる基底エリアと区分するエリア区分手段と、
指定エリアと基底エリアとの間での編目構成の違いに基づき、違いによって生じる歪みを減少させる増し編みを、対象エリアに付加する増し編み付加手段と、
増し編み付加手段によって増し編みが付加された対象エリアに対し、柄のデザインを行う柄デザイン手段と、
柄デザイン手段によって柄のデザインが行われた対象エリアに対し、前記対応関係に基づく変形を戻して、基底エリアに接続させるエリア接続手段とを含み、
前記データ生成手段は、エリア接続手段によって、柄のデザインが行われた対象エリアの変形が戻されて基底エリアに接続された状態の編地に対して、前記編成データを生成する、
ことを特徴とするニットデザイン装置。
【請求項３】
前記増し編み付加手段は、
前記指定エリアの外縁の長さと、前記基底エリアのうちで指定エリアが接続される部分のウエール方向の長さとの差異を、前記編目構成の違いとする、
ことを特徴とする請求項２記載のニットデザイン装置。
【請求項４】
前記増し編み付加手段は、
前記指定エリアの編目のウエール方向への縮み方と、前記基底エリアのうちで指定エリアが接続される部分の編目のウエール方向の縮み方との差異を、前記編目構成の違いとする、
ことを特徴とする請求項２記載のニットデザイン装置。
【請求項５】
前記増し編み付加手段は、
前記指定エリアのウエール方向の一端側から他端側に、前記差異を累積し、
差異の累積値が予め定める基準値を越えると、前記増し編みとしてのコースを追加することを特徴とする請求項３または４記載のニットデザイン装置。
【発明の詳細な説明】
【技術分野】
【０００１】
本発明は、コンピュータ制御の横編機で編成する編地をデザインするためのニットデザイン方法および装置に関する。
【背景技術】
【０００２】
従来から、ニット製品の生産に使用する横編機では、編針の選針、キャリッジの走行、編糸の切替えなどを、予め作成される編成データに従って行うように、コンピュータで制御されている。編成データの作成には、ニットデザイン装置が使用される（たとえば、特許文献１参照）。
【０００３】
図５は、特許文献１に開示されているニットデザイン方法とその装置についての基本的な考え方と、その基本的な考え方を応用する柄のデザイン方法の概要を示す。図５（ａ）は、編地製品のデザインの基本となる編目画像１を示す。編目画像１は、ニットデザイン装置の表示装置に画像として表示しながら、ユーザが編目毎にデータを入力して生成される。画面の枡目は、編目を表し、手編みや手動編機での編成に使用する編目記号の代わりに、特定の色で編目の種類を表示し、色に対応するカラーコードで編目のデータが入力される。横編機では、横のコース方向に編目が順次形成され、順次形成されるコースが縦のウエールに繋がって編地となる。
【０００４】
特許文献１の方法は、コース方向の編目数がウエール方向で変化し、編地の端部などで外縁１ａがウエール方向に対して傾斜した折れ線や曲線となる場合に、デザインを容易にすることを目的としている。この方法では、まず、外縁１ａ側に設ける紐状の前立てを指定エリア２として設定する。指定エリア２は、編目画像１の残余の部分である基底エリア３に、接続境界１ｂを介して接続されている。図５（ｂ）は、デザインを容易にするために、指定エリア２をスライドさせて、矩形などの単純な形状の対象エリア２ａに変形した状態を示す。対象エリア２ａに対してデザインすると、スライド変形を戻すことによって、指定エリア２の前立てにデザインが反映される。
【０００５】
図５（ｃ）に示すように、柄４として、たとえば、２コースずつの表目４ａおよび裏目４ｂと、その両側に設ける側縁４ｃ，４ｄを単位として繰返して、２×２のガーター柄のデザインを行う場合を想定する。図５（ｄ）に示すように、対象エリア２ａに対して柄４をデザインすることは容易である。
【先行技術文献】
【特許文献】
【０００６】
【特許文献１】再公表特許ＷＯ２００４／０８８０２２号公報
【発明の概要】
【発明が解決しようとする課題】
【０００７】
編目画像１で指定エリア２と基底エリア３とで、編目のループ長や組織などの編目構成に違いがあると、違いによって接続境界１ｂに歪みが生じてしまう。指定エリア２は、外縁１ａに沿った長さを有し、基底エリア３のウエール方向の長さとの間に差があるため、同じコース数で編成すると歪みが生じる。また、編地の組織が異なる場合も、ウエール方向への縮み方が異なるので、歪みが生じる。歪みを小さくするために、接合する長さの短いエリアに対して、長さの不足分に相当するコースを付加する増し編みが行われる。増し編みは、編地を試編みして、結果を反映させながら、挿入位置と数とを調整する。ただし、平編地などであれば付加するコースは、表目や裏目などの同じ組織でよいけれども、組織柄編地であれば、付加するコースを決めることが困難となる。
【０００８】
図６は、図５（ｄ）の対象エリア２ａのスライド変形を元に戻して作成したデザインデータに対して、前立てである指定エリア２に増し編み５を付加した柄付加編目画像６を示す。柄４ｅは、増し編み５の付加で、表目または裏目のコース数が増加する部分が生じ、２×２のガーター柄の規則性が損われてしまう。このように、柄４をデザインした対象エリア２ａに増し編み５を付加すると、柄のデザインが崩れてしまう。
【０００９】
本発明の目的は、増し編みの付加を容易に行い、増し編みを付加した状態で柄のデザインが崩れないようにすることが可能な、ニットデザイン方法および装置を提供することである。
【課題を解決するための手段】
【００１０】
本発明は、横編機に使用する編成データを、編成すべき編地のデザインを編目毎に表す編目画像の表示とユーザからの入力とに応じて生成し、
編目画像中でユーザにより指定された指定エリアは、予め定める対応関係に基づき、コース方向にスライドさせて単純な形状の対象エリアに変形してデザインの対象とすることが可能なニットデザイン方法において、
ユーザからの指定を受け、編目画像中で、柄を表示する範囲を含むエリアを、指定エリアとして設定して、指定エリアを除く編目画像中で、指定エリアが接続されるエリアとなる基底エリアと区分し、
指定エリアと基底エリアとの間での編目構成の違いに基づき、違いによって生じる歪みを減少させる増し編みを、対象エリアに付加し、
増し編みが付加された対象エリアに対し、柄のデザインを行い、
柄のデザインが行われた対象エリアに対し、前記対応関係に基づく変形を戻して、基底エリアに接続させ、
柄のデザインが行われた対象エリアの変形が戻されて基底エリアに接続された状態の編地に対して、前記編成データを生成する、
ことを特徴とするニットデザイン方法である。
【００１１】
さらに本発明は、横編機に使用する編成データを、編成すべき編地のデザインを編目毎に表す編目画像の表示とユーザからの入力とに応じて生成するデータ生成手段を備え、
編目画像中でユーザにより指定された指定エリアは、予め定める対応関係に基づき、コース方向にスライドさせて単純な形状の対象エリアに変形してデザインの対象とすることが可能なニットデザイン装置において、
ユーザからの指定を受け、編目画像中で、柄を表示する範囲を含むエリアを、指定エリアとして設定して、指定エリアを除く編目画像中で、指定エリアが接続されるエリアとなる基底エリアと区分するエリア区分手段と、
指定エリアと基底エリアとの間での編目構成の違いに基づき、違いによって生じる歪みを減少させる増し編みを、対象エリアに付加する増し編み付加手段と、
増し編み付加手段によって増し編みが付加された対象エリアに対し、柄のデザインを行う柄デザイン手段と、
柄デザイン手段によって柄のデザインが行われた対象エリアに対し、前記対応関係に基づく変形を戻して、基底エリアに接続させるエリア接続手段とを含み、
前記データ生成手段は、エリア接続手段によって、柄のデザインが行われた対象エリアの変形が戻されて基底エリアに接続された状態の編地に対して、前記編成データを生成する、
ことを特徴とするニットデザイン装置である。
【００１２】
また本発明で、前記増し編み付加手段は、
前記指定エリアの外縁の長さと、前記基底エリアのうちで指定エリアが接続される部分のウエール方向の長さとの差異を、前記編目構成の違いとする、
ことを特徴とする。
【００１３】
また本発明で、前記増し編み付加手段は、
前記指定エリアの編目のウエール方向への縮み方と、前記基底エリアのうちで指定エリアが接続される部分の編目のウエール方向の縮み方との差異を、前記編目構成の違いとする、
ことを特徴とする。
【００１４】
また本発明で、前記増し編み付加手段は、
前記指定エリアのウエール方向の一端側から他端側に、前記差異を累積し、
差異の累積値が予め定める基準値を越えると、前記増し編みとしてのコースを追加することを特徴とする。
【発明の効果】
【００１５】
本発明によれば、指定エリアと基底エリアとの編目構成の違いに基づき、違いによって生じる歪みを減少させる増し編みを、指定エリアをコース方向にスライド変形させた単純な形状の対象エリアに付加するので、増し編みの追加を容易に行うことができる。柄のデザインは、増し編みを付加した単純な形状の対象エリアに対して行うので、増し編みを追加しても柄のデザインが崩れないようにすることが可能となる。
【００１６】
さらに本発明によれば、増し編み付加手段によって、指定エリアをコース方向にスライド変形させた単純な形状の対象エリアに、指定エリアと基底エリアとの編目構成の違いによって生じる歪みを減少させる増し編みを付加することができる。柄デザイン手段によって、増し編みを付加した単純な形状の対象エリアで柄のデザインを行うことができる。
【００１７】
また本発明によれば、指定エリアの外縁がウエール方向に対して傾斜しているような場合に、長さの差異を解消するように、増し編みを付加することができる。
【００１８】
また本発明によれば、指定エリアと基底エリアとで編目の大きさなどの編目構成に違いがある場合に、違いによって生じる歪みを解消するように、増し編みを付加することができる。
【００１９】
また本発明によれば、指定エリアのウエール方向の一端側から他端側に、編目構成の違いを累積し、累積値が基準値を超えると増し編みとしてのコースを付加するので、増し編みを付加する位置を容易に決定することができる。
【図面の簡単な説明】
【００２０】
【図１】図１は、本発明の一実施例としてのニットデザイン方法の基本的な考え方を示す図である。
【図２】図２は、図１の考え方で形成される柄付加編目画像７を示す図、およびデザインを適用する編製品８の部分的な正面図である。
【図３】図３は、図１および図２に示す方法の概要を示すフローチャートである。
【図４】図４は、本発明の他の実施例としてのニットデザイン装置１０の概略的な構成を示すブロック図である。
【図５】図５は、従来からのニットデザイン方法の基本的な考え方を示す図である。
【図６】図６は、図５の考え方で柄のデザインを行う場合の柄付加編目画像６を示す図である。
【発明を実施するための形態】
【００２１】
以下、図１〜図３で本発明の一実施例としてのニットデザイン方法を説明する。図４では、本発明の他の実施例としてのニットデザイン装置１０を説明する。各図の説明では、当該図面には存在せずに先に説明する図には存在する符号を用いて説明したり、先に説明する図に示す部分と対応する部分には同一の参照符を付し、重複する説明を省略したりする場合がある。
【実施例１】
【００２２】
図１は、（ａ）で編目画像１のうち、ガーター編みの指定エリア２は、たとえば端から１０目となる一定の編幅で設定する。この指定によって、編目画像１は、指定エリア２と、編目画像１から指定エリア２を除く部分のうちで、指定エリア２に接続される基底エリア３とに区分される。（ｂ）で指定エリア２をコース方向にスライドさせて、単純な形状、たとえば矩形の対象エリア２ａに変形する。このような区分と変形とは、図５（ａ）および図５（ｂ）とそれぞれ同等に行われる。しかしながら、図１（ａ）では、指定エリア２の外縁１ａの長さ１ｃと、ウエール方向の長さ１ｄを考慮する。図５（ｃ）に示す柄４をデザインする場合、図１（ｂ）で開始位置４ｆを設定しておき、図１（ｃ）に示すように、外縁１ａの長さ１ｃとウエール方向の長さ１ｄとの差異に基づく増し編み５を付加した対象エリア２ｂで、開始位置４ｆから柄４を展開する。
【００２３】
図２は、図１（ｃ）のようにデザインを行った結果を、（ａ）の柄付加編目画像７、（ｂ）の編製品８として、それぞれ示す。（ａ）の柄付加編目画像７は、図１（ｃ）の対象エリア２ｂを、図１（ａ）の指定エリア２から図１（ｂ）の対象エリア２ａへのスライド変形を戻す、逆のスライド変形で得られる。指定エリア２から対象エリア２ａへのスライド変形は、下のコースから上のコースに、外縁１ａに形成される段に応じて、段階的に移動量を大きくして行われる。図１（ｃ）の対象エリア２ｂを基底エリア３に接続するように戻すスライド変形は、各段の移動を、増し編み５を含めて戻すことで行われ、ガーター柄などの柄４のデザインを崩さないようにすることができる。
【００２４】
図２（ｂ）に示す編製品８の前立て９のデザインは、その一部としてデザイン部分９ａに指定エリア２を設定して、以上の説明に従って行うことができる。このような部分的なデザインを組合せれば、前立て９の全体を容易にデザインし、増し編み５を付加しても柄のデザインが崩れないようにすることができる。本実施例では、このように衿の前立て９についてデザインを行う場合について説明するけれども、特許文献１と同様に、アームホールの周囲や、さらに編地の外縁を含まない身頃内部でも、指定エリア２を設定し、増し編みを含めてデザインすることができる。
【００２５】
図３に示すように、ニットデザイン方法は、ステップｓ１から開始し、ステップｓ２では、編地編成情報をユーザがニットデザイン装置１０などに入力する。編地編成情報には、編目の種類などの編目毎の情報も含まれる。ステップｓ３では、図１（ａ）に示すような、編目画像１が表示される。ステップｓ４では、ユーザからの指定で、指定エリア２が設定される。ステップｓ５では、階段状の外縁１ａで段が変る位置毎に、減らし
位置として収集される。ステップｓ６では、指定エリア２をスライド変形した単純な形状の対象エリア２ａが表示される。ステップｓ７では、ユーザから、対象エリア２ａに対して開始位置４ｆが指定される。以下の増し編み５の付加は、指定エリア２のウエール方向に関し、開始位置４ｆに近い方の一端側から遠い方の他端側に、編目の種類などの編目構成の違いによる誤差、ここではコース毎に長さ１ｃ，１ｄの差異に基づく誤差を累積しながら行われる。
【００２６】
ステップｓ８では、指定エリア２の外縁１ａの長さ１ｃとウエール方向の長さ１ｄとの差異が算出される。指定エリア２ａの外縁１ａに関し、２コース毎に２目減らしが入る場合、編目１目の大きさを縦Ｎ［ｍｍ］、横Ｍ［ｍｍ］とすると、２コース分の外縁１ａの長さ１ｃは、次の第１式のようになる。
長さ  ＝√｛（２［コース］×Ｎ）×（２［コース］×Ｎ）
＋（２［目］×Ｍ）×（２［目］×Ｍ）｝                          …（１）
この長さ１ｃとウエール方向の長さ１ｄとの差異に対する誤差は、次の第２式のようになる。
誤差  ＝（長さ−（２［コース］×Ｎ））÷Ｎ                          …（２）  
【００２７】
前立て９は、ガーター柄ばかりではなく、スムース編み、針抜きの袋編みなどで編成され、基底エリア３は、基本的に平編みで編成されることが多い。前立て９の編目構成での編目の大きさは、第１式および第２式に使用するMやNに反映されるので、編目構成の違いも含めて適切に評価することができる。
【００２８】
ステップｓ８では、たとえば、長さ１ｃ，１ｄの差異を、誤差として、コース単位で求め、累積する。ステップｓ９では、差異の累積値が基準値を越えたか否かを判断する。差異をコースを単位とする誤差として算出する場合、基準値は２コースとなる。差異累積値が基準値を超えると、ステップｓ１０で、増し編み５が対象エリア２ａに付加される。増し編み５は、基準値である２コースを単位として付加される。増し編み５のコース数は、往復で元の位置に戻る必要があるので、偶数にする必要がある。増し編み５を付加すると、ステップｓ１１で差異累積値が修正される。修正は、増し編み５を付加したコース数に対応して行われる。
【００２９】
ステップｓ９で差異累積値が基準値を越えないと判断するとき、またはステップｓ１１が終了すると、ステップｓ１２で指定エリア２ａの他端側のコースに達して、指定エリア２ａが終了するか否かを判断する。終了しないと判断するときは、ステップｓ８に戻り、次のコースについて差異を求める。ステップｓ９で指定エリア２ａが終了すると判断するときは、ステップｓ１３で、図１（ｃ）に示すような増し編み５が付加されている対象エリア２ｂに対して柄４のデザインを行う。次のステップｓ１４では、スライド変形を戻して、図２（ａ）に示すような柄付加編目画像７に相当する画像データを生成し、編成データを生成し、ステップｓ１５で終了する。柄付加編目画像７は、ユーザが要求すれば画像として表示する。対象エリア２ａに増し編み５を付加した部分の基底エリア３は空白行として表示されるけれども、表示切替えによって、空白行を圧縮して表示させることもできる。
【００３０】
以上の説明では、編目構成の違いによる誤差を、指定エリア２の外縁１ａの長さ１ｃとウエール方向の長さ１ｄとの差異を算出して求めている。この差異は、指定エリア２と基底エリア３とで、編組織が同じで編目のループ長が同じであっても、指定エリア２の編目が基底エリア３の編目に対して傾いている限り生じる。この差異を累積し、累積値が基準値を越えると増し編み５を付加するので、外縁１ａなどの指定エリア２の形状が大きく変化する箇所に多く増し編み５が行われる。
【００３１】
編目構成の違いによる誤差は、指定エリア２と基底エリア３とで編組織が異なる場合にも生じる。たとえば、ガーター柄の編地と、平編みの編地とでは、組織柄としての編組織の違いで、編成後の編目のウエール方向への縮み方が異なる。編組織の違いによる誤差は、外縁１ａなどの指定エリア２の形状が大きく変化しなくても累積され、累積値が基準値を越えると増し編み５を付加することで、指定エリア２と基底エリア３との間に生じる歪みを緩和することができる。したがって、増し編み５は、長さの差異を考慮するだけではなく、編組織の違いも考慮することが好ましいけれども、一方のみを考慮する場合でも、増し編み５の付加で歪みを低減することができる。
【実施例２】
【００３２】
図４は、本発明の他の実施例としてのニットデザイン装置１０の概略的な構成を示す。ニットデザイン装置１０は、処理装置１１、入力装置１２、表示装置１３、および記憶装置１４を含む汎用のコンピュータに、図１〜図３に示すニットデザイン方法を実行するプログラムをインストールして実現される。処理装置１１は、データ生成手段２１、エリア区分手段２２、増し編み付加手段２３、柄デザイン手段２４、およびエリア接続手段２５を含む。データ生成手段２１、エリア区分手段２２、増し編み付加手段２３、および柄デザイン手段２４は、図３のステップｓ１４、ステップｓ４、ステップｓ１０、およびステップｓ１３に、それぞれ対応する。また、エリア接続手段２５に対応する動作も、ステップｓ１４に含まれる。記憶装置１４には、指定エリア２についての各種情報を含む指定エリア情報２６、対象エリア２ａ，２ｂについての各種情報を含む対象エリア情報２７、および第２式の誤差を差異として累積する差異累積値２８が含まれる。
【００３３】
入力装置１２は、キーボードやペンタブレットなどや、通信回線への接続も含む。表示装置１３は、画像表示装置や印刷装置などを含む。記憶装置１４は、ハードディスクなどの大容量記憶装置や、着脱可能な記憶媒体を含む。
【符号の説明】
【００３４】
１  編目画像
１ａ  外縁
１ｃ，１ｄ  長さ
２  指定エリア
２ａ，２ｂ  対象エリア
３  基底エリア
４  柄
４ｆ  開始位置
５  増し編み
８  編製品
９  前立て
１０  ニットデザイン装置
２１  データ生成手段
２２  エリア区分手段
２３  増し編み付加手段
２４  柄デザイン手段
２５  エリア接続手段
【図１】
0005732321.tif 000002
【図２】
0005732321.tif 000003
【図３】
0005732321.tif 000004
【図４】
0005732321.tif 000005
【図５】
0005732321.tif 000006
【図６】
0005732321.tif 000007